(57)【要約】【課題】傾斜地にフェンスを構築する場合において、胴縁を直線状に連結できることは勿論、胴縁の支柱への取付け角度の調整範囲が広くとれ、しかも、胴縁の位置決めも容易に行える。【解決手段】支柱４に胴縁５Ａ、５Ｂを傾斜角度調整自在に固定するためにフェンス用継手において、ウェブ２とウェブ２に形成された２枚のフランジ３とからなり、ウェブ２には、支柱用縦長ボルト孔２Ａと支柱用円形ボルト孔２Ｂとが上下に間隔をあけて形成され、フランジ３の各々には、胴縁用上部縦長ボルト孔３Ａと胴縁用下部縦長ボルト孔３Ｂとが上下に間隔をあけて形成され、ウェブ２は、支柱用縦長ボルト孔２Ａまたは支柱用円形ボルト孔２Ｂに挿通されるボルト６を介して支柱４に固定され、胴縁５Ａ、５Ｂは、胴縁用上部縦長ボルト孔３Ａまたは胴縁用下部縦長ボルト孔３Ｂに挿通されるボルト７Ａ、７Ｂを介してフランジ３に固定される。【選択図】図３
2008095311.tif 000002
【特許請求の範囲】
【請求項１】
支柱に胴縁を傾斜角度調整自在に固定するためにフェンス用継手において、
ウェブと前記ウェブに形成された２枚のフランジとからなり、前記ウェブには、支柱用縦長ボルト孔と支柱用円形ボルト孔とが上下に間隔をあけて形成され、前記フランジの各々には、胴縁用上部縦長ボルト孔と胴縁用下部縦長ボルト孔とが上下に間隔をあけて形成され、前記ウェブは、前記支柱用縦長ボルト孔または前記支柱用円形ボルト孔に挿通されるボルトを介して前記支柱に固定され、前記胴縁は、前記胴縁用上部縦長ボルト孔または前記胴縁用下部縦長ボルト孔に挿通されるボルトを介して前記フランジに固定されることを特徴とするフェンス用継手。
【請求項２】
前記胴縁用上部縦長ボルト孔の長さは、前記胴縁用下部縦長ボルト孔の長さに比べて短いことを特徴とする、請求項１記載のフェンス用継手。
【発明の詳細な説明】
【技術分野】
【０００１】
この発明は、フェンス用継手、特に、傾斜地にフェンスを構築する場合において、胴縁を一直線状に連結できることは勿論、胴縁の支柱への取付け角度の調整範囲が広くとれ、しかも、胴縁の位置決めも容易に行えるフェンス用継手に関するものである。
【背景技術】
【０００２】
傾斜地対応のフェンス用継手の一例が、特開平９−１９５５９１号公報に開示されている。以下、このフェンス用継手を従来継手といい、図面を参照しながら説明する。
【０００３】
図７は、従来継手を示す正面図、図８は、従来継手によってフェンス用パネルを支柱に取り付けた状態を示す部分正面図である。
【０００４】
図７に示すように、従来継手１１は、支柱用取付部１２と、支柱用取付部１２と一体的に形成された胴縁用連結部１３とから構成されている。支柱用取付部１２は、支柱の湾曲に併せて円弧状に湾曲していて、横長のボルト孔１２ａと補強用リブ１２ｂとが形成されている。胴縁用連結部１３には、縦長に多段長孔１３ａが形成されている。
【０００５】
上述した従来継手による支柱へのフェンス用パネルの取り付け方法について説明する。
【０００６】
なお、このフェンス用パネルは、図８に示すように、縦線１４と横線１５とを格子状に組み、その上下端を円弧状に湾曲させることにより胴縁１６を構成し、胴縁１６の端部に連結具１７を取り付けたものから構成されている。
【０００７】
図８に示すように、支柱１８の表裏側にボルト１９により２個の従来継手１１を上下対称に取り付け、各従来継手１１の胴縁用連結部１３にその多段長孔１３ａにボルト２０を通して連結具１７を取り付ける。この際、地面の傾斜に合わせて左右の胴縁１６が一直線状に並ぶように、多段長孔１３ａに通すボルト２０の位置を調整する。
【０００８】
【特許文献１】特開平９−１９５５９１号公報
【発明の開示】
【発明が解決しようとする課題】
【０００９】
上述した従来継手によれば、左右の胴縁をフェンスの構築地面の傾斜に合わせて一直線状に連結することができるので見栄えが良く、しかも、胴縁用連結部１３に長孔１３ａが多段に形成されているので、胴縁１６の位置決めが容易に行え、さらに、支柱用取付部１２のボルト孔１２ａが横長に形成されているので、横長の範囲内で胴縁１６の水平面内における取り付け角度を調整することが可能である。
【００１０】
しかしながら、支柱用取付部１２は上下方向に移動できず、しかも、胴縁１６の上下方向に位置決めは、胴縁用連結部１３の長孔１３ａの段部位置によって制約されるので、胴縁１６の傾斜角度によっては、胴縁１６を一直線状に連結することができないことがあった。
【００１１】
従って、この発明の目的は、傾斜地にフェンスを構築する場合において、胴縁を一直線状に連結できることは勿論、胴縁の支柱への取付け角度の調整範囲が広くとれ、しかも、胴縁の位置決めも容易に行えるフェンス用継手を提供することにある。
【課題を解決するための手段】
【００１２】
この発明は、上記目的を達成するためになされたものであって、下記を特徴とするものである。
【００１３】
請求項１記載の発明は、支柱に胴縁を傾斜角度調整自在に固定するためにフェンス用継手において、ウェブと前記ウェブに形成された２枚のフランジとからなり、前記ウェブには、支柱用縦長ボルト孔と支柱用円形ボルト孔とが上下に間隔をあけて形成され、前記フランジの各々には、胴縁用上部縦長ボルト孔と胴縁用下部縦長ボルト孔とが上下に間隔をあけて形成され、前記ウェブは、前記支柱用縦長ボルト孔または前記支柱用円形ボルト孔に挿通されるボルトを介して前記支柱に固定され、前記胴縁は、前記胴縁用上部縦長ボルト孔または前記胴縁用下部縦長ボルト孔に挿通されるボルトを介して前記フランジに固定されることに特徴を有するものである。
【００１４】
請求項２記載の発明は、請求項１記載の発明において、前記胴縁用上部縦長ボルト孔の長さは、前記胴縁用下部縦長ボルト孔の長さに比べて短いことに特徴を有するものである。
【発明の効果】
【００１５】
この発明によれば、傾斜地にフェンスを構築する場合において、胴縁を一直線状に連結できることは勿論、胴縁の支柱への取付け角度の調整範囲が広くとれ、しかも、胴縁の位置決めも容易に行える。なお、胴縁を一直線状に連結できるので、パネルを連続して張ることができる。
【発明を実施するための最良の形態】
【００１６】
この発明のフェンス用継手の一実施態様を、図面を参照しながら説明する。
【００１７】
図１は、この発明のフェンス用継手を示す斜視図である。
【００１８】
図１に示すように、この発明のフェンス用継手１は、コ字形に形成され、ウェブ２とウェブ２の両端にこれと一体形成された２枚のフランジ３とからなっている。２枚のフランジ３間に胴縁が挟み込まれて固定されるので、従来継手のように一枚の胴縁連結部１３に胴縁が固定される場合に比べて、ねじり等に対してより強固に胴縁を固定することができる。ウェブ２には、支柱用縦長ボルト孔２Ａと支柱用円形ボルト孔２Ｂとが上下に間隔をあけて形成されている。フランジ３の各々には、胴縁用上部縦長ボルト孔３Ａと、このボルト孔３Ａより長い胴縁用下部縦長ボルト孔３Ｂとが上下に間隔をあけて形成されている。
【００１９】
このように構成されている、この発明のフェンス用継手によれば、以下のようにして、支柱の両側に胴縁が取り付けられる。なお、胴縁に取り付けられるフェンス部材は、特に、限定されない。
【００２０】
図２に示すように、支柱４にフェンス用パネルの胴縁５Ａ、５Ｂを水平に取り付ける場合には、支柱４の両側に互いに背中合わせに同じ高さで継手１Ａ、１Ｂをボルト６により取り付ける。この場合、ボルト６は、継手１Ａ、１Ｂのウェブ２の支柱用縦長ボルト孔２Ａに挿通し、支柱用縦長ボルト孔２Ａの上端に接する。これによって、継手１Ａ、１Ｂの位置決めが行える。
【００２１】
胴縁５Ａ、５Ｂは、継手１Ａ、１Ｂのフランジ３にその胴縁用上部縦長ボルト孔３Ａにボルト７Ａ、７Ｂを挿通することにより取り付ける。なお、胴縁５Ａ、５Ｂの端部には、連結具８が取り付けられ、この連結具８がフランジ３にボルト止めされる（以下、同じ）。この場合、ボルト７Ａ、７Ｂは、胴縁用上部縦長ボルト孔３Ａの下端に接する。これによって、胴縁５Ａ、５Ｂの位置決めが行われ、胴縁５Ａ、５Ｂは、支柱４に一直線状に水平に取り付けられる。
【００２２】
次に、図３に示すように、支柱４にフェンス用パネルの胴縁５Ａ、５Ｂを１０°傾斜させて取り付ける場合には、支柱４の両側に互いに背中合わせに継手１Ａ、１Ｂをボルト６により取り付ける。この場合、ボルト６は、継手１Ａ、１Ｂのウェブ２の支柱用縦長ボルト孔２Ａに挿通し、一方の継手１Ａが他方の継手１Ｂに対して若干低くなるように取り付ける。
【００２３】
一方の胴縁５Ａは、一方の継手１Ａのフランジ３にその胴縁用下部縦長ボルト孔３Ｂにボルト７Ａを挿通することにより取り付ける。この場合、ボルト７Ａは、胴縁用下部縦長ボルト孔３Ｂの上端に接する。これによって、一方の胴縁５Ａの位置決めが行われる。他方の胴縁５Ｂは、他方の継手１Ｂのフランジ３にその胴縁用上部縦長ボルト孔３Ａにボルト７Ｂを挿通することにより取り付ける。この場合、ボルト７Ｂは、胴縁用上部縦長ボルト孔３Ｂの下端に接する。これによって、他方の胴縁５Ｂの位置決めが行われる。
【００２４】
次に、図４に示すように、支柱４にフェンス用パネルの胴縁５Ａ、５Ｂを２０°傾斜させて取り付ける場合には、支柱４の両側に上下反転させて互いに背中合わせに継手１Ａ、１Ｂをボルト６により取り付ける。この場合、ボルト６は、継手１Ａ、１Ｂのウェブ２の支柱用縦長ボルト孔２Ａに挿通し、一方の継手１Ａが他方の継手１Ｂに対して若干高くなるように取り付ける。
【００２５】
一方の胴縁５Ａは、一方の継手１Ａのフランジ３にその胴縁用下部縦長ボルト孔３Ｂにボルト７Ａを挿通することにより取り付ける。この場合、ボルト７Ａは、胴縁用下部縦長ボルト孔３Ｂの下端に接する。これによって、一方の胴縁５Ａの位置決めが行われる。他方の胴縁５Ｂは、他方の継手１Ｂのフランジ３にその胴縁用上部縦長ボルト孔３Ａにボルト７Ｂを挿通することにより取り付ける。この場合、ボルト７Ｂは、胴縁用上部縦長ボルト孔３Ｂの上端に接する。これによって、他方の胴縁５Ｂの位置決めが行われる。
【００２６】
次に、図５に示すように、支柱４にフェンス用パネルの胴縁５Ａ、５Ｂを３０°傾斜させて取り付ける場合には、支柱４の両側に上下反転させて互いに背中合わせに継手１Ａ、１Ｂをボルト６により取り付ける。この場合、ボルト６は、継手１Ａ、１Ｂのウェブ２の支柱用縦長ボルト孔２Ａに挿通し、一方の継手１Ａが他方の継手１Ｂに対して若干低くなるように取り付ける。
【００２７】
一方の胴縁５Ａは、一方の継手１Ａのフランジ３にその胴縁用下部縦長ボルト孔３Ｂにボルト７Ａを挿通することにより取り付ける。この場合、ボルト７Ａは、胴縁用下部縦長ボルト孔３Ｂの下端に接する。これによって、一方の胴縁５Ａの位置決めが行われる。他方の胴縁５Ｂは、他方の継手１Ｂのフランジ３にその胴縁用下部縦長ボルト孔３Ｂにボルト７Ｂを挿通することにより取り付ける。この場合、ボルト７Ｂは、胴縁用下部縦長ボルト孔３Ｂの上端に接する。これによって、他方の胴縁５Ｂの位置決めが行われる。
【００２８】
次に、図６に示すように、支柱４にフェンス用パネルの胴縁５Ａ、５Ｂを４０°傾斜させて取り付ける場合には、支柱４の両側に上下反転させて互いに背中合わせに継手１Ａ、１Ｂをボルト６により取り付ける。この場合、ボルト６は、継手１Ａ、１Ｂのウェブ２の支柱用円形ボルト孔２Ｂに挿通する。これによって、一方の継手１Ａは、他方の継手１Ｂに対してほぼ継手１Ａ、１Ｂの長さ分だけ低くなる。
【００２９】
一方の胴縁５Ａは、一方の継手１Ａのフランジ３にその胴縁用上部縦長ボルト孔３Ａにボルト７Ａを挿通することにより取り付ける。この場合、ボルト７Ａは、胴縁用下部縦長ボルト孔３Ａの下端に接する。これによって、一方の胴縁５Ａの位置決めが行われる。他方の胴縁５Ｂは、他方の継手１Ｂのフランジ３にその胴縁用上部縦長ボルト孔３Ｂにボルト７Ｂを挿通することにより取り付ける。この場合、ボルト７Ｂは、胴縁用上部縦長ボルト孔３Ａの上端に接する。これによって、他方の胴縁５Ｂの位置決めが行われる。
【００３０】
上述したように、この発明の継手によれば、胴縁を一直線状に連結できることは勿論、胴縁の支柱への取付け角度の調整範囲が広くとれ（水平から４０°以上）、しかも、胴縁の位置決めも容易に行える。
【００３１】
以上の例は、支柱の両側に胴縁を取り付ける場合であるが、支柱の片側に胴縁を取り付ける場合も同様である。
【図面の簡単な説明】
【００３２】
【図１】この発明のフェンス用継手を示す斜視図である。
【図２】この発明の継手により支柱に水平に取り付けられた胴縁を示す正面図である。
【図３】この発明の継手により支柱に１０°傾斜させて取り付けられた胴縁を示す正面図である。
【図４】この発明の継手により支柱に２０°傾斜させて取り付けられた胴縁を示す正面図である。
【図５】この発明の継手により支柱に３０°傾斜させて取り付けられた胴縁を示す正面図である。
【図６】この発明の継手により支柱に４０°傾斜させて取り付けられた胴縁を示す正面図である。
【図７】従来継手を示す正面図である。
【図８】従来継手によってフェンス用パネルを支柱に取り付けた状態を示す部分正面図である。
【符号の説明】
【００３３】
１：この発明の継手
１Ａ：一方の継手
１Ｂ：他方の継手
２：ウェブ
２Ａ：支柱用縦長ボルト孔
２Ｂ：支柱用円形ボルト孔
３：フランジ
３Ａ：胴縁用上部縦長ボルト孔
３Ｂ：胴縁用下部縦長ボルト孔
４：支柱
５Ａ：一方の胴縁
５Ｂ：他方の胴縁
６：ボルト
７Ａ：ボルト
７Ｂ：ボルト
８：連結具
１１：従来継手
１２：支柱用取付部
１２ａ：ボルト孔
１２ｂ：リブ
１３：胴縁用連結部
１３ａ：多段長孔
１４：縦線
１５：横線
１６：胴縁
１７：連結具
１８：支柱
１９：ボルト
２０：ボルト
【図１】
2008095311.tif 000003
【図２】
2008095311.tif 000004
【図３】
2008095311.tif 000005
【図４】
2008095311.tif 000006
【図５】
2008095311.tif 000007
【図６】
2008095311.tif 000008
【図７】
2008095311.tif 000009
【図８】
2008095311.tif 000010